(57)【特許請求の範囲】
【請求項１】
陳列ユニットの傾斜した前面開口部の上部に前面パネルを取付けると共に、下部に前面パネルを上下動自在に設けたショーケースであって、上方の前面パネル下端と略同一高さを有する前面側の傾斜したレール部を両側に設け、下方の前面パネルの上端に駆動装置に連繋する駆動部を設けると共に、前面パネルの下端に設けたローラーをレール部上に配置したことを特徴とする前面開閉パネルを有するショーケース。
【請求項２】
ショーケースの近傍に買物客のセンサーを設けると共に、該センサーの信号で駆動装置を作動させる様にしたことを特徴とする請求項１記載の前面開閉パネルを有するショーケース。
【請求項３】
駆動部の移動方向はレール部の傾斜角度より低い角度で奥方側に上昇させたことを特徴とする請求項１又は２記載の前面開閉パネルを有するショーケース。
【請求項４】
駆動装置に連動アームを揺動自在に取付けると共に、連動アームの先端を前面パネルの駆動部に連結したことを特徴とする請求項３記載の前面開閉パネルを有するショーケース。
【請求項５】
ローラーを前面パネルから両側に突出させたことを特徴とする請求項１、２、３又は４記載の前面開閉パネルを有するショーケース。
【請求項６】
レール部とフレームを一体化して陳列ユニットの両側に設け、フレームの上部に上方の前面パネルを取付けたことを特徴とする請求項１、２、３、４又は５記載の前面開閉パネルを有するショーケース。
【発明の詳細な説明】
【０００１】
【発明の属する技術分野】
本発明は、パン、惣菜などの加工食料品を展示販売するショーケースに関し、特に前面パネルが自動開閉する前面開閉パネルを有するショーケースに関する。
【０００２】
【従来の技術】
従来、展示販売されるパン、惣菜などの加工食料品は、上面開口または前面開口の陳列台、陳列棚、陳列ケースに載置されていたり、前面をガラス板、アクリル板等の透明板で収納部を囲繞したショーケースに加工食料品等を収納していた。
【０００３】
【発明が解決しようとする課題】
前者のオープンケースは、陳列された加工食料品は店内空気に放置されているため、衛生的に好ましくなく、後者のショーケースは店員が背面の引戸式透明板を開閉しているため、買物客が加工食料品を自由に手に取ることは不可能であった。
【０００４】
【課題を解決するための手段】
本発明は、上記従来技術に基づく、加工食料品の展示状態が好ましくなかったり、買物客が自由に手に取ることが不可能な課題に鑑み、陳列ユニットの傾斜した前面開口部の上部に前面パネルを取付けると共に、下部に前面パネルを上下動自在に設けたショーケースであって、上方の前面パネル下端と略同一高さを有する前面側の傾斜したレール部を両側に設け、下方の前面パネルの上端に駆動装置に連繋する駆動部を設けると共に、前面パネルの下端に設けたローラーをレール部上に配置することによって、前面開口部が閉鎖された時には、陳列ユニット内は店内空間と遮断されて衛生面を向上させることが出来ると共に、買物客は開口された前面開口部から加工食料品を手に取る様にして、上記課題を解決する。
【０００５】
【発明の実施の形態】
以下、本発明の一実施例を図面に基づいて説明する。
図１、２の断面図、図４、５の正面図に示す様に、本発明に係るショーケース１は機械室２（フロントパネルの作動部や温冷蔵装置部を内装する）を有するユニットベース３上に陳列ユニット４を一体化して成り、図示のものでは、ユニットベース３の前面を化粧部５と成したり、ユニットベース３の下面に移動用のキャスター６、6aを設けている。
ユニットベース３上に設けられる陳列ユニット４は、各種フレーム、底板、底部を除く５面の透明パネル等から成り、前面が開閉すると共に、作業員用に背面も開口するものと成している。
【０００６】
以下、陳列ユニット４の詳細を説明する。
図３に示す様に、ユニットベース３より上部の側壁７、7aは、所定幅（高さ）で前方板８、8aを突出させると共に、所定幅で後方板９、9aを立設し、前方板８、8aと後方板９、9aの接続部にコーナー板10、10a を設けて、一体形成している。
又、後方板９、9aの内側に支柱11、11a を立設すると共に、該支柱11、11a の上部に天板12の後端部を取付けると共に、ユニットベース３の上面に後方が若干高い状態で陳列面となる底板13、13a を前後２段に取付けている。
【０００７】
図３に示す様に、前方板８、8aの前端に前面下方板14を取付けると共に、後方板９、9aの前面立設面15、15a と前方板８、8aの前端の間に、一体化したレール部16、16a とフレーム17、17a を取付け、該フレーム17、17a の後端部18上部に天板12の前端部を載置し（組付状態は図１、２、１０参照）、レール部16、16a の内側はフレーム17、17a より突出させて全体的に幅広と成している。
【０００８】
図３、８に示す様に、フレーム17、17a は天板12を載置する後端部18が水平状で、前面下方板14上に位置する前端部19が立設状で、中間部20が手前（前方）が低く上部が奥方の傾斜状と成し、フレーム17、17a と一体化されたレール部16、16a の前後端部をレール部16、16a とフレーム17、17a の取付部21と成している。
又、レール部16、16a の中間部22はフレーム17、17a の中間部20の下面に接面して手前が低く上部が奥方の傾斜状と成し、レール部16、16a の前端部23はフレーム17、17a の前端部19の背面に接面して立設状と成し、レール部16、16a の前端部23を下方延設して下方取付部21と成し、前方板８、8a前端部に取付けている。
更に、レール部16、16a の中間部22の上端はフレーム17、17a の中間部20より低い位置まで（後述する様に、上方の前面パネル26a 下端と略同一高さ）と成し、レール部16、16a の中間部22から後方部24をフレーム17、17a の後端部18より低い位置で水平延設し、レール部16、16a の後方部24の後端部25を上方立設して上方取付部21と成し、その上端をフレーム17、17a における後端部18の最後端と連結し、側壁７、7aの前面立設面15、15a に取付けている。
【０００９】
尚、一体化したレール部16、16a とフレーム17、17a の側壁７、7aへの取付部21はレール部16、16a の一部を利用しているが、フレーム17、17a に取付部21を設けても良い。
【００１０】
図１、２に示す様に、両側のレール部16、16a 及びフレーム17、17a に固定状態又は可動状態で取付けられる前面パネル26、26a は上下２分割されると共に、上方の前面パネル26が前面側で若干の前後差を有し、且つ、下方の前面パネル26a が閉鎖時において、上方前面側の前面パネル26と下方後面側の前面パネル26a は部分的に重合し、当該重合個所における上方前面側の前面パネル26の裏面に虫除け等のモヘアを設けている（モヘアはその他の個所にも設けている）。
そして、上方前面側の前面パネル26は手前が低く上部が奥方の矩形状で、フレーム17、17a の中間部20の上方部（略１／３）に傾斜載置固定され、陳列ユニット４における前面開口部27の上方略１／３を閉鎖し、下方後面側の前面パネル26a は前面開口部27の下方略２／３を開閉するものであって、レール部16、16a の中間部22と前端部23と相似形で手前が低く上部が奥方の傾斜部28と下方立設部29から成る。
【００１１】
図１、２、６、７に示す様に、レール部16、16a に沿って上下動し、降下時に前面開口部27を閉鎖し、上昇時に上方の前面パネル26の背面側に退避する下方の前面パネル26a の上端両側には駆動部30、30a が突出状態で設けられ、駆動部30、30a の移動方向はレール部16、16a の傾斜角度より低い角度で奥方側に上昇させる。
又、前面パネル26の下端両側に突出状態で設けた回転自在なローラー31、31a がレール部16、16a の傾斜した中間部20を滑走する様に成し、前面パネル26a の上端両側に設けた一対の駆動部30、30a はユニットベース３の機械室２に設けた駆動装置32に連結されている。
詳しくは、図６、７に示す様に、下方の前面パネル26a は四方枠体33にガラス板、アクリル板等の透明板34を取付け、両側に設けた支持板35、35a から下方のシャフト36を突出させると共に、支持板35、35a から所定間隙を有してシャフト36の先端にローラー31、31a を回転自在に取付ける。
一方、支持板35、35a から上方のシャフト37を突出させると共に、長さ調整自在な一対の連動アーム38、38a 先端の円環状の取付部39をシャフト37に回動自在に取付け、連動アーム38、38a 下方基端を駆動装置32に固定している（図１、２参照）。
前面パネル26a を後方上方に退避移動させる方式は連動アーム38、38a を揺動させるものを示したが別方式でも良い。
【００１２】
次に、ユニットベース３の機械室２に収納し連動アーム38、38a を介して下方の前面パネル26a を上下動させる駆動装置32を説明する。
図１、２、９に示す様に、ユニットベース３の機械室２に正面から見て横方向に長いフレーム40を設置し、該フレーム40に大径の平歯車41（周面歯車を有するホイール）を回転自在に設けると共に、フレーム40にモーター42を併設し、該モーター42の駆動回転軸42a にカラー付のカム板43を偏心状態で取付けている。
又、平歯車41のホイール部41a に基端を取付けた揺動杆44の先端に従動ローラー45を回転自在に取付け、該従動ローラー45を回転するカム板43の上部周面に上方から接触させている。
カム板43は変形円盤であって、揺動杆44の従動ローラー45が接触する上下位置、カム板43の回転中心から周面までの距離Ｈ１、Ｈ２…が適宜変化し、少なくとも最小距離Ｈ１（下死点に相当）および最大距離Ｈ２（上死点に相当）を有する形状である。
【００１３】
尚、図１、２に示す様に、カム板43に対する従動ローラー45の接触作用としては、後述する前面パネル26a の自重で接触させるが、揺動杆44の先端と機械室２の内面壁（又はフレーム40）の適宜個所に両端を取付けた引張バネ46の作用で接触力を確実化することが好ましい。
【００１４】
図１、２、９に示す様に、フレーム40の上部に正面視横方向に長寸の従動軸47を長手方向に回動自在に架設すると共に、従動軸47に設けた小径の平歯車48を揺動杆44の基端を取付けた大径の平歯車41に噛合させ、モーター42の回転がカム板43、揺動杆44、平歯車41、平歯車48を介して伝達される従動軸47の両端に一対の連動アーム38、38a の基端を取付けると共に、上述の様に連動アーム38、38a の先端を前面パネル26a の上部に取付けている。
【００１５】
図９に示す様に、モーター42の回転がカム板43、揺動杆44で伝達される平歯車41の回転軸49にドグ50、50a を取付けると共に、ドグ50、50a の対向位置にセンサー51、51a を設け、これらは回転軸49、連動する連動アーム38、38a 、前面パネル26a の上下位置を検知する。
【００１６】
尚、カム板43、揺動杆44、大小の平歯車41、48等は連動アーム38、38a の揺動量等に応じて適宜変更し、場合によっては、平歯車41の回転軸49に連動アーム38、38a を取付けても良い。
又、揺動杆44の基端は平歯車41のホイール部41a に取付けているが、取付位置も適宜変更可能であり、図示のものでは揺動杆44の中心延長線は平歯車41の回転中心を指向しており、実質的に揺動杆44の基端は回転軸49に取付けており、連動アーム38、38a を取付けた従動軸47を駆動可能であれば、これらの取付位置も適宜変更可能である。
【００１７】
次に、陳列ユニット４の天板12について説明する。
図１０に示す様に、天板12は内部に送気空間52を有する様に上下２枚の板材53、53a から成り、天板12の送気空間52に連通状態で天板12の基端背面側に送風部54を設け、天板12の先端部55は上方の前面パネル26の上端に沿う様に、下方傾斜屈曲させると共に、その突端面に吐出口56を開口させ、該吐出口56からの噴出空気の吐出方向は前面パネル26の上面に沿った下方傾斜方向と成している。
天板12の基端に設けた送風部54の一例としては、送気空間52に連通する送気口57及び外部に連通する吸気口58を有する収納ケース59内に長手方向に軸流ファン60を配置し、更に収納ケース59の外部に適宜開口部を有した外ケース61を配置して送風部54を天板12の基端に取付けている。
【００１８】
図１、２に示す様に、陳列ユニット４の背面には透明パネル等から成ると共に、開閉自在と成す様に、例えば引き戸式の背面扉62を設けている。
尚、図示していないが、陳列ユニット４の側面にも透明パネル等から側面板を設けており、例えば、側壁７、7aの前方板８、8a、後方板９、9a、コーナー板10、10a とフレーム17、17a で囲まれる個所に側面板を取付ける。
【００１９】
図１、２に示す様に、ショーケース１の前方適宜位置（店舗の天井、天板12の上部など）には、買物客が来たり、近づいたり、立ち止まったことを検知する（近接）センサー65を設けており、該センサー65の検知信号は制御回路66に送信される様になっている。
又、駆動装置32内に配置されモーター42の回転力又は前面パネル26a の自重降下力で回転する回転軸49に設けたドグ50、50a を検知するセンサー51、51a は、回転軸49の所定回転角度を検知するものであり、この回転位置の検知により連動アーム38、38a の揺動状態（回転角度、上下死点）、前面パネル26、26a の開閉を検知するものであり、買物客の（近接）センサー65と同様に回転軸49のセンサー51、51a の検知信号も制御回路66に送信される様に成っている。
更に、制御回路66には送風部54に対する信号発信回路も有している。
【００２０】
尚、図５に示す様に、ショーケース１を横方向に長くする場合には、両側のレール部16、16a 及びフレーム17、17a 等の他、中央などの適宜位置にもレール部16、16a 及びフレーム17、17a （図８（ｂ）に示す様に、レール部16、16a は両側に突出している）を設け、左右２連の陳列ユニット４を設けても良く、モーター42、センサー51、51a 、65等による前面パネル26a 、送風部54の作動等は個別に稼働させる。
【００２１】
次に本発明に係るショーケースの作用について説明する。
買物客がショーケース１の前方に来たことをセンサー65が検知した時は、制御回路66からモーター42に回転指令信号を送出し、カム板43の回転に従動して揺動杆44を上方揺動させ、平歯車41、平歯車48、従動軸47の回転を介して、従動軸47に取付けた連動アーム38、38a を背面側に揺動させる。
連動アーム38、38a の所定角度の揺動により、前面パネル26a の上部に設けた駆動部30、30a を背面側上方に円弧運動させ、前面パネル26a の下部に設けたローラー31、31a はレール部16、16a を回転滑走し、下方の前面パネル26a は背面側上方で上方の前面パネル26の背面に傾斜角度が変化して退避する。
尚、下方の前面パネル26a が前面開口部27を閉鎖している状態における駆動装置32は図１に示し、前面パネル26a が上動し前面開口部27を開口している時の駆動装置32は図２に示している。
【００２２】
そして、陳列ユニット４の前面開口部27が開口している状態では、一方のドグ50を一方のセンサー51で検知して制御回路66から送風部54に信号が送信されて、天板12内の送気空間52を通って、上方前面側に固定された前面パネル26の上面に沿って空気を噴出し、前面開口部27の上面に流動空気層（エアカーテン）を形成し、その風量、風速等の適宜設定により、前面開口部27の上面全てに流動空気層を設定している。
【００２３】
買物客が立ち去った時には、センサー65の未検知信号により、モーター42は逆回転し、前面パネル26a の上動作用が消失しているため、傾斜状態の前面パネル26a の自重により連動アーム38、38a は前方側に揺動すると共に、該連動アーム38、38a に連結された揺動杆44はモーター42で逆回転するカム板43の周面に沿って下方揺動する。
尚、引張バネ46を設けた時には、揺動杆44の下方揺動が確実となる。
【００２４】
上記の様に、通常状態では、買物客の有無に応じて前面パネル26a が上下動して前面開口部27を開閉し、且つ、前面開口部27の前面に流動空気層を形成する。そして、前面パネル26a の上動状態または下動状態は、回転軸49に設けたドグ50、50a をセンサー51、51a で検知しており、当該検知により、モーター42を停止させる。
【００２５】
次に、異状時について説明する。
図１に示す様に、前面パネル26a が最下端で前面開口部27を閉鎖した状態であって、カム板43（モーター42）の回転中心と揺動杆44の従動ローラー45の距離が最短の下死点から、モーター42が回転して前面パネル26a を上動させる時には、カム板43の回転に応じて従動ローラー45の接点位置は徐々に上昇して、揺動杆44を上昇揺動させ、順次連動して前面パネル26a を強制的に上昇させる。
一方、図２に示す様に、前面パネル26a が最上端で前面開口部27を開口した状態であって、カム板43（モーター42）の回転中心と揺動杆44の従動ローラー45の距離が最長の上死点から、モーター42が逆回転して前面パネル26a が自重で下降する時には、上動時とは相違して、前述の様に、通常時は前面パネル26a の下降とモーター42の逆回転は同時作動するが連結連動せず、後述の様に、前面パネル26a の下降異常時には、前面パネル26a は下降せずにモーター42だけが逆回転する。
【００２６】
即ち、何らかの故障や前面開口部27に買物客の身体や物品が存在して、モーター42が回転して前面パネル26a が下降可能状態にあっても、物品存在などで前面パネル26a が下降停止した時には、連動アーム38、38a の下方揺動が停止しているため、揺動杆44の下動も途中停止し、揺動杆44の従動ローラー45はカム板43周面への接触状態から離隔状態となり、モーター42の回転による前面パネル26a の下降連動は解除される。
そして、回転停止する回転軸49に設けた他方のドグ50a も停止するため、他方のセンサー51a による検知が不可能でモーター42の回転は続行する。
【００２７】
モーター42の回転続行により、カム板43は図１、９に示す下死点（最小距離Ｈ１との接触状態）から、図２、９に示す上死点（最大距離Ｈ２との接触状態）への回転が継続され、カム板43の周面と揺動杆44の従動ローラー45の接触が回復し、障害物で途中停止していた前面パネル26a を上動させ、その上動完了状態において、センサー51はドグ50を検知してモーター42は回転停止する。
【００２８】
【発明の効果】
要するに本発明は、陳列ユニット４の傾斜した前面開口部27の上部に前面パネル26を取付けると共に、下部に前面パネル26a を上下動自在に設けたショーケース１としたので、前面開口部27が閉鎖された時には、陳列ユニット４内は店内空間と遮断されて衛生面を向上させることが出来ると共に、買物客は開口された前面開口部27から加工食料品を容易に手に取ることが出来る。
又、上方の前面パネル26下端と略同一高さを有する前面側の傾斜したレール部16、16a を両側に設け、下方の前面パネル26a の上端に駆動装置32に連繋する駆動部30、30a を設けると共に、前面パネル26a の下端に設けたローラー31、31a をレール部16、16a 上に配置したので、レール部16、16a 及びローラー31、31a で安定的に移動される下方の前面パネル26a は、その下端が上方の前面パネル26の背面位置まで上昇移動し、前面開口部27を充分に開口することが出来ると共に、移動する前面パネル26a は前面パネル26の背面側に位置し、買物客にとって邪魔とならず、見栄えも良い。
【００２９】
ショーケース１の近傍に買物客のセンサー65を設けると共に、該センサー65の信号で駆動装置32を作動させる様にしたので、センサー65の作動で、買物客の接近時のみ自動的に前面開口部27を開口させることが出来る。
【００３０】
駆動部30、30a の移動方向はレール部16、16a の傾斜角度より低い角度で奥方側に上昇させたので、引き上げられ上昇移動する前面パネル26の軌跡は上方及び奥方への円弧運動で上昇量が少なく、陳列ユニット４全体の高さを低くすることが出来る。
【００３１】
駆動装置32に連動アーム38、38a を揺動自在に取付けると共に、連動アーム38、38a の先端を前面パネル26a の駆動部30、30a に連結したので、揺動する連動アーム38、38a で前面パネル26a の引上げ力、移動方向を容易に円弧運動とすることが出来る。
【００３２】
ローラー31、31a を前面パネル26a から両側に突出させたので、前面パネル26a 両側はレール部16、16a に非接触で、連動アーム38、38a 、前面パネル26a の軌跡設定、レール部16、16a の形状等を容易・自由に設定することが出来る等その実用的効果甚だ大である。
【図面の簡単な説明】
【図１】本発明に係るショーケースの断面図で前面パネル降下状態を示す図である。
【図２】前面パネル上昇状態を示す図である。
【図３】陳列ユニット（パネルを除く）の組付状態を示す斜視図である。
【図４】ショーケースの正面図である。
【図５】左右２連の陳列ユニットを有するショーケースの正面図である。
【図６】上下動する前面パネルの正面図である。
【図７】レール部と前面パネルの関係を示す要部断面図である。
【図８】一体化したフレームとレール部を示す斜視図である。
【図９】駆動装置を示す正面図、側面断面図、平面図である。
【図１０】送風部および送気空間を有する天板を示す断面図である。
【符号の説明】
１        ショーケース
４        陳列ユニット
16、16a   レール部
17、17a   フレーム
26、26a   前面パネル
27        前面開口部
30、30a   駆動部
31、31a   ローラー
32        駆動装置
38、38a   連動アーム
65        センサー
【図１】
0004131635.tif 000002
【図２】
0004131635.tif 000003
【図３】
0004131635.tif 000004
【図４】
0004131635.tif 000005
【図５】
0004131635.tif 000006
【図６】
0004131635.tif 000007
【図７】
0004131635.tif 000008
【図８】
0004131635.tif 000009
【図９】
0004131635.tif 000010
【図１０】
0004131635.tif 000011